(57)【特許請求の範囲】
【請求項１】
切羽と隔壁との間に加圧した泥水を循環させると共に、切羽水圧を、隔壁の内側に配した水圧計で計測する泥水式シールドにおいて、
前記隔壁の内側に、直管と分岐管からなるＴ字配管を配設し、
直管の先端を、切羽側に連通する隔壁の通孔に接続し、
分岐管の先端に切羽水圧計を接続し、
さらに、直管の基端に、直管内に止水パッキンを介して挿入自在とされ且つ挿入されることで直管内の土砂を前記通孔に向けて押し出す押出棒を設けたことを特徴とする泥水式シールドの切羽水圧計測装置。
【請求項２】
前記直管の基端に、開状態のとき押出棒の通過を許すボールバルブの一端側を接続し、該ボールバルブの他端側に、前記止水パッキンを配すると共に押出棒を待機させたことを特徴とする請求項１記載の泥水式シールドの切羽水圧計測装置。
【請求項３】
前記ボールバルブの他端側に、押出棒を直管内に挿入する際にその挿入動作を案内する挿入ガイドを配設したことを特徴とする請求項２記載の泥水式シールドの切羽水圧計測装置。
【発明の詳細な説明】
【０００１】
【発明の属する技術分野】
本発明は、泥水式シールドにおいて切羽の水圧計取付配管に詰まった土砂を除去する機能を持つ切羽水圧計測装置に関する。
【０００２】
【従来の技術】
泥水式シールドでは切羽の水圧を管理しながら掘進する必要があり、切羽の水圧管理のために隔壁の内側に切羽水圧計を設けている。水圧計は、隔壁に設けた通孔に配管を接続してその配管に取り付けているが、配管に土砂が詰まると計測精度が落ちる。
【０００３】
そのため、従来では配管が閉塞した場合、水圧計を取り外して、ウォータージェットで配管内を洗浄していた。
【０００４】
【発明が解決しようとする課題】
しかし、閉塞の頻度が高くなると、水圧計の取り外し、土砂の除去、こぼれた泥水の清掃などのために機械停止時間が増え、掘進速度が低下するという問題があった。
【０００５】
本発明は、上記事情を考慮し、水圧計を取り外さず、泥水のこぼれも生じずに配管の閉塞を簡単な作業で取り除くことができ、それにより掘進速度の低下防止を図ることのできる泥水式シールドの切羽水圧計測装置を提供することを目的とする。
【０００６】
【課題を解決するための手段】
請求項１の発明は、切羽と隔壁との間に加圧した泥水を循環させると共に、切羽水圧を、隔壁の内側に配した水圧計で計測する泥水式シールドにおいて、前記隔壁の内側に、直管と分岐管からなるＴ字配管を配設し、直管の先端を、切羽側に連通する隔壁の通孔に接続し、分岐管の先端に切羽水圧計を接続し、さらに、直管の基端に、直管内に止水パッキンを介して挿入自在とされ且つ挿入されることで直管内の土砂を通孔に向けて押し出す押出棒を設けたことを特徴とする。
【０００７】
請求項２の発明は、請求項１において、前記直管の基端に、開状態のとき押出棒の通過を許すボールバルブの一端側を接続し、該ボールバルブの他端側に、前記止水パッキンを配すると共に押出棒を待機させたことを特徴とする。
【０００８】
請求項３の発明は、請求項２において、前記ボールバルブの他端側に、押出棒を直管内に挿入する際にその挿入動作を案内する挿入ガイドを配設したことを特徴とする。
【０００９】
【発明の実施の形態】
以下、本発明の実施形態を図面に基づいて説明する。
図１は実施形態の切羽水圧計測装置を備えた泥水式シールドの概略構成を示す側断面図である。図において、１はカッタヘッド、２は隔壁、３はシールド本体を示す。シールド本体３内には、切羽と隔壁２との間に加圧した泥水を循環させるための送泥管４と排泥管５とが設けられている。また、隔壁２の内側には、切羽の水圧を計測するための切羽水圧計測装置６が設けられている。図２に切羽水圧計測装置６の詳細を示す。
【００１０】
この切羽水圧計測装置６は、Ｔ字配管７と、水圧計８と、土砂除去装置１０とから構成されている。Ｔ字配管７は、直管７ａと分岐管７ｂとを備えており、直管７ａの先端が、切羽側に連通する隔壁２の通孔２ａに接続され、分岐管７ｂの先端にボールバルブ９を介して水圧計８が接続されている。また、土砂除去装置１０は、直管７ａに詰まった土砂を隔壁２の通孔２ａから押し出すためもので、直管７ａの基端に連結されている。
【００１１】
土砂除去装置１０は、直管７ａ内に挿入自在とされた押出棒１７と、押出棒１７を挿入する際のシール確保のための止水パッキン１５と、押出棒１７の挿入動作を案内するための挿入ガイド１６等からなる。直管７ａの基端にはフランジ１１を介してボールバルブ１２の一端側が接続され、ボールバルブ１２の他端側に土砂除去装置１０の取付フランジ１３が接続されている。そして、該取付フランジ１３の中央孔に止水パッキン１５を介して押出棒１７の先端が挿通され、押出棒１７の後端が挿入ガイド１６により支持されている。なお、ボールバルブ１２は、開状態のときに押出棒１７の通過を許すことができる。
【００１２】
挿入ガイド１６は取付フランジ１３と一体に固定された水平な２本のロッド１６ａからなり、それら２本のロッド１６ａ間に押出棒１７が配されている。押出棒１７の後端には端板１８が固定されており、この端板１８に設けた２つの貫通孔を各ロッド１６ａに嵌めることで、押出棒１７が水平にスライド可能に支持されている。また、ロッド１６ａはネジ棒よりなり、ロッド１６ａの後端には、端板１８の抜け止めを果たすロックナット２０が固定されている。ロックナット２０の前側には、ロッド１６ａに螺合され回転させることでロッド１６ａの長手方向に移動するナット部材１９が配されている。これらナット部材１９は、端板１８を手で押しても押出棒１７を直管７ａの内部に押し込めないときに代わりに用いるものであり、これを工具で回すことにより、端板１８を前進させられるようになっている。
【００１３】
次に作用を説明する。
水圧計８によって切羽の水圧を計測する場合は、水圧計８側のボールバルブ９を開き、土砂除去装置１０側のボールバルブ１２を閉じる。これにより、切羽の水圧が押出棒１７側へは漏れずに、Ｔ字配管７を介して確実に水圧計８に達するので、水圧計８で切羽の水圧を正確に計測できる。
【００１４】
一方、Ｔ字配管７の内部に土砂が詰まった場合は、水圧計８側のボールバルブ９を閉じ、土砂除去装置１０側のボールバルブ１２を開く。そして、後方に引いて待機させてある押出棒１７を、端板１８を押すことにより直管７ａの内部に挿入させ、内部に詰まった土砂を押出棒１７で押し出す。このとき、押出棒１７の先端は、隔壁２の通孔２ａより若干寸法突き出す。直管７ａの内部の清掃が終わったら、再び押出棒１７を待機位置に引いて、ボールバルブ１２を閉じ、水圧計８側のボールバルブ９を開く。それにより、通常の切羽水圧の計測を再開することができる。なお、上記の操作の際に挿入ガイド１６が確実に押出棒１７の動きを案内するので、押出棒１７の挿入をスムーズ且つ確実に行うことができる。
【００１５】
【発明の効果】
以上説明したように、請求項１の発明によれば、配管が閉塞した場合、押出棒を直管内に挿入するだけで、直管内の土砂を押し出すことができるので、水圧計を取り外して作業する必要がない。また、押出棒は止水パッキンを介して挿入するので、泥水のこぼれもない。従って、簡単な作業で時間を食わずに、配管の閉塞を取り除くことができ、結果的に掘進速度を増大させることができる。
【００１６】
請求項２の発明によれば、ボールバルブを閉じることにより確実に直管の他端部を閉鎖することができるので、通常の掘削時において、止水パッキンへの負担を無くせる。
【００１７】
請求項３の発明によれば、挿入ガイドを設けたので、押出棒の挿入動作をスムーズに行うことができる。
【図面の簡単な説明】
【図１】本発明の実施形態の土砂除去装置を備えた泥水式シールドの側断面図である。
【図２】同土砂除去装置の詳細図である。
【符号の説明】
２  隔壁
２ａ  通孔
７  Ｔ字配管
１０  土砂除去装置
１２  ボールバルブ
１７  押出棒
１５  止水パッキン
１６  挿入ガイド
【図１】
0003572565.tif 000002
【図２】
0003572565.tif 000003